(57)【要約】【課題】異なる無線通信機能が搭載された無線通信装置において、より簡易な構成で、一つの無線通信機能の通信が他の無線通信機能の通信に与える影響を抑制する。【解決手段】無線通信装置２０は、第１帯域を用いた第１通信と、第１帯域に隣接する第２帯域、および、第２帯域よりも第１帯域から離れた第３帯域のいずれかを用いた第２通信とが可能である。無線通信装置２０は、デジタル放送受信制御部２５と、セルラー通信制御部２６と、品質変更部２７とを有する。セルラー通信制御部２６は、第２帯域および第３帯域のうち、通信品質が良い方の帯域を用いて第２通信を行う。品質変更部２７は、デジタル放送受信制御部２５が第１通信を開始した場合に、第２帯域で行われる第２通信においてセルラー通信制御部２６が送信または受信する信号の少なくともいずれかの品質を変更する。【選択図】図１
2017163229.tif 000002
【特許請求の範囲】
【請求項１】
第１帯域を用いた第１通信と、前記第１帯域に隣接する第２帯域、および、前記第２帯域よりも前記第１帯域から離れた第３帯域のいずれかを用いた第２通信とが可能な無線通信装置であって、
前記第１通信を行う第１通信部と、
前記第２帯域および前記第３帯域のうち、通信品質が良い方の帯域を用いて前記第２通信を行う第２通信部と、
前記第１通信部が前記第１通信を開始した場合に、前記第２帯域で行われる前記第２通信において前記第２通信部が送信または受信する信号の少なくともいずれかの品質を変更する変更部と
を有することを特徴とする無線通信装置。
【請求項２】
アンテナと、
前記アンテナと前記第２通信部との間に設けられ、前記アンテナを介して前記第２通信部が前記第２帯域において送信または受信する信号を減衰させる減衰器と
を有し、
前記変更部は、
前記第１通信部が前記第１通信を開始した場合に、前記アンテナを介して前記第２通信部が前記第２帯域において送信または受信する信号の減衰量が増加するように前記減衰器を制御することを特徴とする請求項１に記載の無線通信装置。
【請求項３】
前記変更部は、
前記第１通信部が前記第１通信を開始した場合に、前記減衰量が徐々に増加するように前記減衰器を制御することを特徴とする請求項２に記載の無線通信装置。
【請求項４】
アンテナと、
前記アンテナと前記第２通信部との間に設けられ、前記アンテナを介して前記第２通信部が前記第２帯域において送信または受信する信号に雑音信号を合成する合成部と
を有し、
前記変更部は、
前記第１通信部が前記第１通信を開始した場合に、前記アンテナを介して前記第２通信部が前記第２帯域において送信または受信する信号に合成される雑音信号の電力を増加させることを特徴とする請求項１に記載の無線通信装置。
【請求項５】
前記変更部は、
前記第１通信部が前記第１通信を開始した場合に、前記雑音信号の電力を徐々に増加させることを特徴とする請求項４に記載の無線通信装置。
【請求項６】
前記第１通信部は、
前記第１帯域に含まれる複数のチャネルのいずれかを用いて前記第１通信を行い、
前記変更部は、
前記第１帯域内において、前記第２帯域側の境界から所定周波数の範囲に含まれる前記チャネルを用いて、前記第１通信部が前記第１通信を開始した場合に、前記第２帯域で行われる前記第２通信において前記第２通信部が送信または受信する信号の少なくともいずれかの品質を変更することを特徴とする請求項１から５のいずれか一項に記載の無線通信装置。
【請求項７】
前記変更部は、
前記第３帯域における通信品質が所定品質以上である場合に、前記第２帯域で行われる前記第２通信において前記第２通信部が送信または受信する信号の少なくともいずれかの品質を変更し、
前記第３帯域における通信品質が所定品質未満である場合に、前記第２帯域で行われる前記第２通信において前記第２通信部が送信または受信する信号のいずれの品質も変更しないことを特徴とする請求項１から６のいずれか一項に記載の無線通信装置。
【請求項８】
前記変更部は、
前記第１通信部により開始された前記第１通信が終了した場合に、前記第２帯域で行われる前記第２通信において前記第２通信部が送信または受信する信号について変更した品質を元に戻すことを特徴とする請求項１から７のいずれか一項に記載の無線通信装置。
【発明の詳細な説明】
【技術分野】
【０００１】
本発明は、無線通信装置に関する。
【背景技術】
【０００２】
近年、スマートフォン等の携帯型無線通信装置の高機能化に伴い、携帯型無線通信装置内に、異なる無線通信サービスを提供する機能が設けられる場合がある。異なる無線通信サービスを提供する機能としては、例えば、セルラー通信機能や地上デジタル放送の受信機能などがある。
【０００３】
また、携帯型無線通信装置内に搭載される機能が多くなると、各機能で使用される部品が多くなり、部品の実装密度が高くなる。部品の実装密度が高くなると、ある無線通信サービスに用いられる部品と、他の無線通信機能に用いられる部品との距離が短くなる。そのため、ある無線通信機能による通信が、他の無線通信機能による通信に影響を与える場合がある。これを回避するために、それぞれの無線通信サービスに用いられる機能には、該無線通信サービスで用いられる周波数以外を遮断するフィルタが設けられる。
【先行技術文献】
【特許文献】
【０００４】
【特許文献１】特開２００６−２５０８３号公報
【特許文献２】特開２００９−８１７３９号公報
【発明の概要】
【発明が解決しようとする課題】
【０００５】
ところで、近年の通信容量の増大に伴い、各無線通信サービスに割り当てられる周波数帯域が拡大している。そのため、各無線通信サービスに割り当てられる周波数帯域が、周波数軸上で密に配置される場合がある。
【０００６】
例えば、セルラー通信に対して新たに割り当てられた７００ＭＨｚの周波数帯域は、地上デジタル放送で使用される周波数帯域に隣接している。そのため、携帯型無線通信装置内にセルラー通信機能と地上デジタル放送の受信機能とが搭載される場合、セルラー通信機能によって送信される電波の電力が、地上デジタル放送の受信帯域に漏洩しやすくなっている。
【０００７】
これを回避するために、セルラー通信機能の回路や地上デジタル放送の受信機能の回路内に、通過域と遮断域との間の遷移域における傾きが急峻なフィルタを設けることが考えられる。しかし、このようなフィルタは、小型化が難しく、コストも高い。
【０００８】
開示の技術は、上記に鑑みてなされたものであって、異なる無線通信機能が搭載された無線通信装置において、より簡易な構成で、一つの無線通信機能による通信が他の無線通信機能による通信に与える影響を抑制することを目的とする。
【課題を解決するための手段】
【０００９】
１つの側面では、第１帯域を用いた第１通信と、第１帯域に隣接する第２帯域、および、第２帯域よりも第１帯域から離れた第３帯域のいずれかを用いた第２通信とが可能な無線通信装置は、第１通信部と、第２通信部と、変更部とを有する。第１通信部は、第１通信を行う。第２通信部は、第２帯域および第３帯域のうち、通信品質が良い方の帯域を用いて第２通信を行う。変更部は、第１通信部が第１通信を開始し場合に、第２帯域で行われる第２通信において第２通信部が送信または受信する信号の少なくともいずれかの品質を変更する。
【発明の効果】
【００１０】
１実施形態によれば、異なる無線通信機能が搭載された無線通信装置において、より簡易な構成で、一つの無線通信機能による通信が他の無線通信機能による通信に与える影響を抑制することができる。
【図面の簡単な説明】
【００１１】
【図１】図１は、実施例１における無線通信装置の一例を示すブロック図である。
【図２】図２は、周波数帯域の一例を示す図である。
【図３】図３は、送信信号の品質の変化の一例を説明する図である。
【図４】図４は、干渉信号の一例を説明する図である。
【図５】図５は、減衰量の変化の一例を説明する図である。
【図６】図６は、実施例１における無線通信装置の動作の一例を示すフローチャートである。
【図７】図７は、実施例２における無線通信装置の一例を示すブロック図である。
【図８】図８は、送信信号の品質の変化の一例を説明する図である。
【図９】図９は、実施例２における無線通信装置の動作の一例を示すフローチャートである。
【図１０】図１０は、実施例３における無線通信装置の一例を示すブロック図である。
【図１１】図１１は、実施例３における無線通信装置の動作の一例を示すフローチャートである。
【図１２】図１２は、干渉信号の影響を受けるチャネルの範囲の一例を説明する図である。
【図１３】図１３は、実施例４における無線通信装置の動作の一例を示すフローチャートである。
【図１４】図１４は、無線通信装置のハードウェアの一例を示す図である。
【発明を実施するための形態】
【００１２】
以下に、本願の開示する無線通信装置の実施例を、図面に基づいて詳細に説明する。なお、以下の実施例は開示の技術を限定するものではない。また、以下に示す各実施例は、適宜組み合わせて実施されてもよい。
【実施例１】
【００１３】
［無線通信装置２０］
図１は、実施例１における無線通信装置２０の一例を示すブロック図である。本実施例における無線通信装置２０は、複数のアンテナ２１−１〜２１−５、第１の無線部２２、第２の無線部２３、第３の無線部２４、デジタル放送受信制御部２５、セルラー通信制御部２６、および品質変更部２７を有する。品質変更部２７は、減衰器２７０および品質制御部２７１を有する。無線通信装置２０は、アンテナ２１−５、第１の無線部２２、およびデジタル放送受信制御部２５を用いて、送信局１１から送信された地上デジタル放送の受信を行う。また、無線通信装置２０は、複数のアンテナ２１−１〜２１−４、第２の無線部２３、第３の無線部２４、およびセルラー通信制御部２６を用いて、基地局１０との間でセルラー通信を行う。無線通信装置２０は、例えば、スマートフォン、携帯型ＰＣ（Personal  Computer）、ＰＤＡ（Personal  Digital  Assistant）、タブレット型情報端末などである。
【００１４】
第１の無線部２２は、デジタル放送受信制御部２５からの起動指示に応じて起動する。そして、第１の無線部２２は、地上デジタル放送で使用される周波数帯域の中で、デジタル放送受信制御部２５から指示された周波数帯域のチャネルにおいて、送信局１１から送信された信号を受信する。ここで、地上デジタル放送で使用される周波数帯域Ｂ１を図示すると、例えば図２のようになる。図２は、周波数帯域の一例を示す図である。地上デジタル放送で使用される周波数帯域Ｂ１は、例えば図２に示すように、周波数ｆ11から周波数ｆ12の範囲である。本実施例において、周波数ｆ11は例えば４７０ＭＨｚであり、周波数ｆ12は例えば７１０ＭＨｚである。
【００１５】
図１に戻って説明を続ける。第１の無線部２２は、送信局１１から受信した信号に対して、ダウンコンバート、復調、および復号等の処理を行うことにより、地上デジタル放送の信号を生成する。第１の無線部２２によって生成された地上デジタル放送の信号は、図示しないアプリケーション処理部へ出力される。アプリケーション処理部は、第１の無線部２２によって生成された信号に基づいて、地上デジタル放送の画像を、無線通信装置２０に設けられた不図示のディスプレイに表示させる。また、アプリケーション処理部は、第１の無線部２２によって生成された信号に基づいて、地上デジタル放送の音声を、無線通信装置２０に設けられた不図示のスピーカから出力させる。
【００１６】
デジタル放送受信制御部２５は、無線通信装置２０に設けられたキーパッドやタッチパネル等の不図示の入力装置を介してユーザから地上デジタル放送の受信を指示された場合、起動指示を第１の無線部２２へ出力する。また、デジタル放送受信制御部２５は、不図示の入力装置を介してユーザから地上デジタル放送の受信を指示された場合、地上デジタル放送の受信開始を品質変更部２７の品質制御部２７１に通知する。そして、デジタル放送受信制御部２５は、無線通信装置２０に設けられた入力装置を介してユーザから地上デジタル放送のチャネルの選択を受け付けた場合、受け付けたチャネルの受信を第１の無線部２２に指示する。そして、無線通信装置２０に設けられた入力装置を介してユーザから地上デジタル放送の受信終了が指示された場合、デジタル放送受信制御部２５は、停止指示を第１の無線部２２へ出力し、地上デジタル放送の受信終了を品質制御部２７１に通知する。
【００１７】
なお、デジタル放送受信制御部２５は、地上デジタル放送の受信をユーザから指示される以外に、ユーザによって設定された情報（例えばタイマー録画等）に従って、自動的に地上デジタル放送の受信を開始してもよい。地上デジタル放送で使用される周波数帯域Ｂ１は、第１帯域の一例である。第１の無線部２２およびデジタル放送受信制御部２５は、第１帯域を用いた通信を行う第１通信部の一例である。
【００１８】
第２の無線部２３は、セルラー通信において使用される複数の異なる周波数帯域の中で、地上デジタル放送で使用される周波数帯域Ｂ１に隣接する周波数帯域において、基地局１０との間でセルラー通信に用いられる信号の送信および受信を行う。本実施例において、無線通信装置２０は、例えば図２に示した周波数帯域Ｂ２および周波数帯域Ｂ３のいずれかを用いて基地局１０とセルラー通信を行う。周波数帯域Ｂ２は、例えば図２に示すように、周波数ｆ21から周波数ｆ22の範囲である。本実施例において、周波数ｆ21は例えば７１８ＭＨｚであり、周波数ｆ22は例えば７４８ＭＨｚである。また、周波数帯域Ｂ３は、例えば図２に示すように、周波数ｆ31から周波数ｆ32の範囲である。本実施例において、周波数ｆ31は例えば１９２０ＭＨｚであり、周波数ｆ32は例えば１９８０ＭＨｚである。以下では、周波数帯域Ｂ２をＬバンドと呼び、周波数帯域Ｂ３をＨバンドと呼ぶ。なお、図２の例では、セルラー通信において使用される周波数帯域として、ＬバンドおよびＨバンドの２つが例示されているが、セルラー通信において使用される周波数帯域は３つ以上であってもよい。Ｌバンドは第２帯域の一例であり、Ｈバンドは第３帯域の一例である。
【００１９】
第２の無線部２３は、基地局１０から、アンテナ２１−４を介して、セルラー通信において使用される複数の異なる周波数帯域の中で、地上デジタル放送で使用される周波数帯域Ｂ１に隣接するＬバンドに含まれる周波数の信号を受信する。そして、第２の無線部２３は、基地局１０から受信した信号に対して、ダウンコンバート、復調、および復号等の処理を行うことにより、受信信号から制御信号および受信データを生成する。そして、第２の無線部２３は、生成された制御信号および受信データをセルラー通信制御部２６へ出力する。また、第２の無線部２３は、セルラー通信制御部２６から出力された制御信号および送信データに対して、符号化および変調等の処理を行うことにより送信信号を生成する。そして、第２の無線部２３は、生成された送信信号を、Ｌバンドに含まれる周波数にアップコンバートして減衰器２７０へ出力する。
【００２０】
減衰器２７０は、第２の無線部２３から出力された送信信号の品質を、品質制御部２７１からの指示に応じて変更する。本実施例において、減衰器２７０は、第２の無線部２３から出力された送信信号の電力を、品質制御部２７１からの指示に応じて減衰させることにより、送信信号の品質を変更する。減衰器２７０としては、例えばＲＦスイッチやＤＳＡ（Digital  Step  Attenuator）等を用いることができる。そして、減衰器２７０は、品質制御部２７１からの指示に応じて振幅を減衰させた送信信号を、アンテナ２１−３を介して基地局１０へ送信する。
【００２１】
ここで、減衰器２７０による送信信号の減衰量が０である場合、無線通信装置２０からの送信信号は、基地局１０において、例えば図３（ａ）に示すように、所定の電力密度比Ｅｃ／Ｎｏで受信される。電力密度比Ｅｃ／Ｎｏは、信号の品質を示す指標の一つである。Ｅｃは、希望信号のチップ当たりの電力であり、Ｎｏは雑音電力である。一方、減衰器２７０による送信信号の減衰量が０でない場合、無線通信装置２０からの送信信号の電力は減少する。これにより、無線通信装置２０からの送信信号の電力密度比Ｅｃ／Ｎｏは、例えば図３（ｂ）に示すように減少する。即ち、減衰器２７０は、第２の無線部２３から出力された送信信号を減衰させることにより、基地局１０において受信される、無線通信装置２０からの送信信号の品質を悪化させることができる。
【００２２】
第３の無線部２４は、基地局１０から、アンテナ２１−２を介して、セルラー通信において使用される複数の異なる周波数帯域の中で、Ｈバンドに含まれる周波数の信号を受信する。そして、第３の無線部２４は、基地局１０から受信した信号に対して、ダウンコンバート、復調、および復号等の処理を行うことにより、受信信号から制御信号および受信データを生成する。そして、第３の無線部２４は、生成された制御信号および受信データをセルラー通信制御部２６へ出力する。また、第３の無線部２４は、セルラー通信制御部２６から出力された制御信号および送信データに対して、符号化および変調等の処理を行うことにより送信信号を生成する。そして、第３の無線部２４は、生成された送信信号を、Ｈバンドに含まれる周波数にアップコンバートする。そして、第３の無線部２４は、アップコンバート後の送信信号を、アンテナ２１−１を介して基地局１０へ送信する。
【００２３】
セルラー通信制御部２６は、第２の無線部２３から出力された制御信号に基づいて、Ｌバンドの通信品質を測定する。また、セルラー通信制御部２６は、第３の無線部２４から出力された制御信号に基づいて、Ｈバンドの通信品質を測定する。セルラー通信制御部２６は、例えば、各周波数帯域において基地局１０から送信されている参照信号における電力密度比Ｅｃ／Ｎｏを、各周波数帯域の通信品質として測定する。そして、セルラー通信制御部２６は、それぞれの周波数帯域の通信品質の測定結果を示す情報を、第２の無線部２３または第３の無線部２４を介して基地局１０へ送信する。また、セルラー通信制御部２６は、Ｈバンドの通信品質を示す情報を、品質制御部２７１へ出力する。また、セルラー通信制御部２６は、第２の無線部２３を用いて、基地局１０との間で、Ｌバンド内の周波数を用いた通信を行っている間、Ｌバンドでセルラー通信を行っている旨を示す情報を品質制御部２７１へ出力する。
【００２４】
基地局１０は、所定のタイミング毎に、無線通信装置２０から受信した各周波数帯域の通信品質の測定結果に基づいて、通信品質の良い方の周波数帯域を、無線通信装置２０の通信に用いられる周波数帯域として逐次選択する。そして、無線通信装置２０との間で送信または受信するデータが発生した場合、基地局１０は、選択された周波数帯域において、無線通信装置２０との間に通信路を確立し、該無線通信装置２０との間でセルラー通信を行う。
【００２５】
品質制御部２７１は、デジタル放送受信制御部２５から地上デジタル放送の受信開始を通知された場合、次の処理を行う。即ち、品質制御部２７１は、セルラー通信制御部２６から、Ｌバンドでのセルラー通信中である旨を示す情報が出力されているか否かを判定することにより、無線通信装置２０がＬバンドでセルラー通信を行っているか否かを判定する。無線通信装置２０がＬバンドでセルラー通信を行っている場合、品質制御部２７１は、セルラー通信制御部２６から出力されたＨバンドの通信品質を示す情報に基づいて、Ｈバンドの通信品質が所定の品質以上か否かを判定する。
【００２６】
Ｈバンドの通信品質が所定の品質以上である場合、品質制御部２７１は、送信信号の減衰量を減衰器２７０に指示する。これにより、Ｌバンドにおいて、無線通信装置２０から基地局１０へ送信される送信信号の品質が悪化する。これにより、基地局１０は、Ｌバンドの通信品質の悪化を検出し、無線通信装置２０との通信に使用される周波数を、より通信品質のよいＨバンドに切り替える処理を行う。そして、デジタル放送受信制御部２５から地上デジタル放送の受信終了が通知された場合、品質制御部２７１は、送信信号の減衰量を０とするように、即ち、送信信号の減衰を解除するように減衰器２７０に指示する。
【００２７】
ここで、例えば図２で説明したように、地上デジタル放送で使用される周波数帯域Ｂ１内で最も高い周波数ｆ12は例えば７１０ＭＨｚであり、セルラー通信において使用されるＬバンド内で最も低い周波数ｆ21は例えば７１８ＭＨｚである。そのため、周波数帯域Ｂ１とＬバンドとは、周波数軸上で８ＭＨｚしか離れていない。そのため、地上デジタル放送を受信する第２の無線部２３内のＲＦフィルタが、例えば図４に示すようなゲイン特性３０である場合、Ｌバンドにおける送信信号の周波数スペクトラム３１の一部が、例えば図４に示すように、周波数帯域Ｂ１内に漏洩する場合がある。図４は、干渉信号の一例を説明する図である。
【００２８】
無線通信装置２０では、地上デジタル放送を受信する第１の無線部２２と、Ｌバンドにおいてセルラー通信を行う第２の無線部２３とが同一の筐体内に配置されている。また、近年の無線通信装置２０の小型化・高密度化により、第１の無線部２２と第２の無線部２３との距離も短くなっている。また、基地局１０と無線通信装置２０とが離れている場合には、セルラー通信において無線通信装置２０から送信される信号の電力が大きくなる。そのため、Ｌバンドの送信信号において、帯域外の周波数成分が第１の無線部２２内に設けられたＲＦフィルタで減衰しきれずに、例えば図４のように、地上デジタル放送の周波数帯域Ｂ１内に漏洩する場合がある。周波数帯域Ｂ１内にＬバンドの送信信号が漏洩すると、Ｌバンドの送信信号が干渉信号となり、地上デジタル放送の周波数帯域Ｂ１のうち、周波数帯域Ｂ２に近い周波数帯のチャネルの受信品質が劣化する。
【００２９】
第１の無線部２２および第２の無線部２３内に、通過域と遮断域との間の遷移域における傾きがより急峻なフィルタを設けることも考えられる。しかし、このようなフィルタは、小型化が難しく、コストも高い。そこで、本実施例の無線通信装置２０では、地上デジタル放送の受信が開始された場合に、Ｌバンドでセルラー通信が行われていれば、Ｌバンドにおける無線通信装置２０の送信信号を強制的に減衰させる。これにより、基地局１０側で受信されたＬバンドの送信信号の品質が悪化し、基地局１０は、現在のＬバンドを用いた通信を、より品質の良いＨバンドを用いた通信に切り替える処理を行う。これにより、基地局１０と無線通信装置２０との間で行われていた通信は、ＬバンドからＨバンドに切り替わる。従って、Ｌバンドの送信信号の一部が、周波数帯域Ｂ１内に漏洩することがなくなり、地上デジタル放送の周波数帯域Ｂ１のうち、Ｌバンドに近い周波数帯域のチャネルの受信品質の劣化が回避される。
【００３０】
なお、Ｌバンドでのセルラー通信中に地上デジタル放送の受信が開始された場合、基地局１０から指示された送信電力よりも、故意に低い電力で送信するように第３の無線部２４を制御する機能をセルラー通信制御部２６に追加することも考えられる。しかし、第２の無線部２３、第３の無線部２４、およびセルラー通信制御部２６は、セルラー通信の機能を実現するモジュールとして一括で提供される場合が多い。そのような場合に、セルラー通信制御部２６の機能に改変を加え、動作検証を行うことは、時間も費用もかかる。これに対し、本実施例の無線通信装置２０は、セルラー通信制御部２６から出力される信号に基づいて、第２の無線部２３から出力される送信信号の電力を、第２の無線部２３の外部に設けられた減衰器２７０により変更する。これにより、セルラー通信制御部２６の機能に改変を加えることなく、地上デジタル放送の受信中における、Ｌバンドの送信信号の品質変更を実現することができる。これにより、セルラー通信制御部２６の機能に改変を加える必要がない。従って、セルラー通信制御部２６の動作検証に要する時間や費用の増加を抑制することもできる。
【００３１】
また、本実施例において、品質制御部２７１は、送信信号の減衰を減衰器２７０に指示する際に、例えば図５（ａ）に示すように、送信信号の減衰量を、単位時間あたりに所定の増加量で徐々に増加させるように減衰器２７０に指示する。図５は、減衰量の変化の一例を説明する図である。なお、品質制御部２７１は、例えば図５（ａ）に示すように、送信信号の減衰量が所定値ＴATTに達した場合、送信信号の減衰量の増加を停止する。所定値ＴATTは、例えば、基地局１０側で、無線通信装置２０から受信した信号が、無線通信装置２０との通信が維持できる範囲内で例えば最低の品質となる減衰量である。
【００３２】
また、本実施例において、品質制御部２７１は、Ｈバンドの通信品質が所定の品質以上である場合に、Ｌバンドでの送信信号を減衰させる。しかし、Ｈバンド内のトラフィックが混んでおり、Ｈバンドのリソースに空きが存在しない場合がある。そのような場合には、Ｈバンドの通信品質がＬバンドの通信品質よりも良好であっても、基地局１０は、無線通信装置２０にＨバンドのリソースを割り当てない場合がある。また、Ｈバンド内のトラフィックが混んでいる場合には、基地局１０は、Ｈバンドのリソースに空きを作るために、他の無線通信装置２０との間の通信をＨバンドからＬバンドに切り替える処理を開始する場合がある。しかし、このような場合であっても、Ｈバンドのリソースに空きができるまでには所定の時間がかかる。そのため、品質制御部２７１は、送信信号の減衰量を、基地局１０と無線通信装置２０との間の通信が維持できる範囲内の値ＴATTで維持する。これにより、基地局１０と無線通信装置２０との間のセルラー通信が即座に切り替わらない場合であっても、Ｌバンドで行われているセルラー通信を維持することができる。
【００３３】
また、他の例として、品質制御部２７１は、例えば図５（ｂ）に示すように、初めは送信信号の減衰量を急激に増加させ、時間の経過と共に、減衰量の増加量を徐々に低くするようにしてもよい。これにより、品質制御部２７１は、無線通信装置２０から送信された信号の品質悪化を基地局１０に早期に検出させることができ、ＬバンドからＨバンドへの切り替えをより早期に実行させることができる。なお、図５の例では、送信信号の減衰量を、時間の経過と共に複数ステップで徐々に増加させたが、開示の技術はこれに限られない。例えば、品質制御部２７１は、送信信号の減衰量を、０から所定値ＴATTまで１ステップで増加させてもよい。
【００３４】
［無線通信装置２０の動作］
図６は、実施例１における無線通信装置２０の動作の一例を示すフローチャートである。無線通信装置２０は、デジタル放送受信制御部２５が地上デジタル放送の受信を開始した場合に、本フローチャートに示す動作を開始する。なお、図６に示す動作の開始前において、減衰器２７０による送信信号の減衰量ＡＴＴは０である。
【００３５】
まず、デジタル放送受信制御部２５は、地上デジタル放送の受信開始を品質制御部２７１に通知する。品質制御部２７１は、Ｌバンドでの通信中である旨を示す情報がセルラー通信制御部２６から出力されているか否かを判定することにより、無線通信装置２０がＬバンドでセルラー通信を行っているか否かを判定する（Ｓ１００）。無線通信装置２０がＬバンドでセルラー通信を行っていない場合（Ｓ１００：Ｎｏ）、即ち、Ｈバンドでセルラー通信を行っているか、あるいは、セルラー通信を行っていない場合、品質制御部２７１は、ステップＳ１０２に示す処理を実行する。
【００３６】
無線通信装置２０がＬバンドでセルラー通信を行っている場合（Ｓ１００：Ｙｅｓ）、品質制御部２７１は、セルラー通信制御部２６から出力されたＨバンドの通信品質を示す情報に基づいて、Ｈバンドの通信品質が所定の品質以上か否かを判定する（Ｓ１０１）。Ｈバンドの通信品質が所定の品質未満である場合（Ｓ１０１：Ｎｏ）、品質制御部２７１は、送信信号の減衰量ＡＴＴが０でなければ、送信信号の減衰量ＡＴＴを０にするように減衰器２７０に指示する。減衰器２７０は、送信信号の減衰量ＡＴＴを０に設定する（Ｓ１０２）。そして、品質制御部２７１は、ステップＳ１０６に示す処理を実行する。
【００３７】
Ｈバンドの通信品質が所定の品質以上である場合（Ｓ１０１：Ｙｅｓ）、品質制御部２７１は、減衰器２７０による送信信号の減衰量ＡＴＴが所定値ＴATT未満か否かを判定する（Ｓ１０３）。減衰器２７０による送信信号の減衰量ＡＴＴが所定値ＴATTに達している場合（Ｓ１０３：Ｎｏ）、品質制御部２７１は、ステップＳ１０６に示した処理を実行する。
【００３８】
一方、減衰器２７０による送信信号の減衰量ＡＴＴが所定値ＴATT未満である場合（Ｓ１０３：Ｙｅｓ）、品質制御部２７１は、減衰量ＡＴＴを所定の増加量ΔＡＴＴ分増加させるように減衰器２７０に指示する。減衰器２７０は、送信信号の減衰量ＡＴＴを増加量ΔＡＴＴ分増加させる（Ｓ１０４）。そして、品質制御部２７１は、所定時間待機する（Ｓ１０５）。
【００３９】
次に、品質制御部２７１は、デジタル放送受信制御部２５から地上デジタル放送の受信終了が通知されたか否かを判定することにより、地上デジタル放送の受信が終了したか否かを判定する（Ｓ１０６）。地上デジタル放送の受信が終了していない場合（Ｓ１０６：Ｎｏ）、品質制御部２７１は、再びステップＳ１００に示した処理を実行する。一方、地上デジタル放送の受信が終了した場合（Ｓ１０６：Ｙｅｓ）、品質制御部２７１は、送信信号の減衰量ＡＴＴを０にするように減衰器２７０に指示する。減衰器２７０は、送信信号の減衰量ＡＴＴを０に設定する（Ｓ１０７）。そして、無線通信装置２０は、本フローチャートに示す動作を終了する。
【００４０】
［実施例１の効果］
上述したように、本実施例の無線通信装置２０は、デジタル放送受信制御部２５と、セルラー通信制御部２６と、品質制御部２７１とを有する。デジタル放送受信制御部２５は、地上デジタル放送の受信を行う。セルラー通信制御部２６は、ＬバンドおよびＨバンドのうち、通信品質が良い方の帯域を用いてセルラー通信を行う。品質制御部２７１は、デジタル放送受信制御部２５により地上デジタル放送の受信が開始された場合に、Ｌバンドで行われるセルラー通信においてセルラー通信制御部２６が送信する信号の品質を変更する。これにより、基地局１０は、Ｌバンドを用いた無線通信装置２０とのセルラー通信において、通信品質の悪化を検出し、無線通信装置２０との通信に用いられる周波数帯域を、ＬバンドからＨバンドへ切り替える。これにより、無線通信装置２０は、地上デジタル放送の受信中に、Ｌバンドのセルラー通信において送信される信号による地上デジタル放送の受信品質の劣化を回避することができる。
【００４１】
また、上記した実施例の無線通信装置２０は、アンテナ２１−３と、アンテナ２１−３とセルラー通信制御部２６との間に設けられ、アンテナ２１−３を介してセルラー通信制御部２６がＬバンドにおいて送信する信号を減衰させる減衰器２７０とを有する。また、品質制御部２７１は、デジタル放送受信制御部２５が地上デジタル放送の受信を開始した場合に、アンテナ２１−３を介してセルラー通信制御部２６がＬバンドにおいて送信する信号の減衰量が増加するように減衰器２７０を制御する。これにより、セルラー通信制御部２６の機能に改変を加えることなく、地上デジタル放送の受信中における、Ｌバンドの送信信号の品質変更を実現することができる。
【００４２】
また、上記した実施例の無線通信装置２０において、品質制御部２７１は、デジタル放送受信制御部２５が地上デジタル放送の受信を開始した場合に、Ｌバンドにおける送信信号の減衰量が徐々に増加するように減衰器２７０を制御する。これにより、無線通信装置２０は、基地局１０との間の通信に用いられる周波数帯域がＬバンドからＨバンドに変更されるまでの間、Ｌバンドにおいて現在行われているセルラー通信の切断を抑制することができる。
【００４３】
また、上記した実施例の無線通信装置２０において、品質制御部２７１は、Ｈバンドにおける通信品質が所定品質以上である場合に、Ｌバンドで行われるセルラー通信においてセルラー通信制御部２６が送信する信号の品質を変更する。一方、品質制御部２７１は、Ｈバンドにおける通信品質が所定品質未満である場合に、Ｌバンドで行われるセルラー通信においてセルラー通信制御部２６が送信する信号の品質を変更しない。これにより、Ｌバンドの通信品質を故意に悪化させたことで、基地局１０と無線通信装置２０との間のセルラー通信が切断されてしまうことを防止することができる。
【００４４】
また、上記した実施例の無線通信装置２０において、品質制御部２７１は、地上デジタル放送の受信が終了した場合に、Ｌバンドで行われるセルラー通信においてセルラー通信制御部２６が送信する信号について変更した品質を元に戻す。これにより、無線通信装置２０は、再び、ＬバンドおよびＨバンドのうち通信品質の良い方の周波数帯域を用いてセルラー通信を行うことができるようになる。
【実施例２】
【００４５】
上記した実施例１における無線通信装置２０は、デジタル放送受信制御部２５が地上デジタル放送の受信を開始した場合に、Ｌバンドにおけるセルラー通信の送信電力を減衰させることにより、Ｌバンドの通信品質を悪化させた。これに対し、本実施例の無線通信装置２０では、デジタル放送受信制御部２５が地上デジタル放送の受信を開始した場合に、Ｌバンドにおけるセルラー通信の送信信号に雑音信号を合成させることにより、Ｌバンドの通信品質を悪化させる。
【００４６】
［無線通信装置２０］
図７は、実施例２における無線通信装置２０の一例を示すブロック図である。実施例２における無線通信装置２０は、複数のアンテナ２１−１〜２１−５、第１の無線部２２、第２の無線部２３、第３の無線部２４、デジタル放送受信制御部２５、セルラー通信制御部２６、および品質変更部２７を有する。品質変更部２７は、品質制御部２７１、合成部２７２、電力制御部２７３、および雑音信号発生器２７４を有する。なお、以下に説明する点を除き、図７において、図１と同じ符号を付したブロックは、図１におけるブロックと同一または同様の機能を有するため説明を省略する。
【００４７】
雑音信号発生器２７４は、品質制御部２７１からの指示に応じてＡＷＧＮ（Additive  White  Gaussian  Noise）等の雑音信号を発生させる。電力制御部２７３は、雑音信号発生器２７４が発生させた雑音信号の電力を品質制御部２７１から指示された値の電力に制御する。そして、電力制御部２７３は、電力が制御された雑音信号を合成部２７２へ出力する。合成部２７２は、第２の無線部２３から出力された送信信号と、電力制御部２７３から出力された雑音信号とを合成する。そして、合成部２７２は、雑音信号が合成された送信信号を、アンテナ２１−３を介して基地局１０へ送信する。
【００４８】
ここで、合成部２７２によって雑音信号が送信信号に合成されていない場合、無線通信装置２０からの送信信号は、基地局１０において、例えば図８（ａ）に示すように、所定の電力密度比Ｅｃ／Ｎｏで受信される。一方、合成部２７２によって雑音信号が送信信号に合成された場合、無線通信装置２０からの送信信号に含まれる雑音電力は、電力制御部２７３から出力された雑音信号の電力Ｐn分増加する。そのため、無線通信装置２０からの送信信号の電力密度比Ｅｃ／Ｎｏは、例えば図８（ｂ）に示すように、減少する。即ち、合成部２７２は、第２の無線部２３から出力された送信信号に雑音信号を合成することにより、基地局１０において受信される、無線通信装置２０からの送信信号の品質を変更することができる。
【００４９】
品質制御部２７１は、地上デジタル放送の受信が開始された場合に、Ｌバンドでのセルラー通信中であれば、セルラー通信制御部２６から出力されたＨバンドの通信品質を示す情報に基づいて、Ｈバンドの通信品質が所定の品質以上か否かを判定する。Ｈバンドの通信品質が所定の品質以上である場合、品質制御部２７１は、雑音信号を発生させるように雑音信号発生器２７４に指示する。そして、品質制御部２７１は、雑音信号の電力値を電力制御部２７３に指示する。これにより、品質制御部２７１から指示された電力値の雑音信号が電力制御部２７３から合成部２７２へ出力される。そして、合成部２７２は、電力制御部２７３から出力された雑音信号を送信信号に合成する。これにより、Ｌバンドにおいて無線通信装置２０から送信される信号の品質が悪化し、基地局１０と無線通信装置２０との間のセルラー通信が、ＬバンドからＨバンドに切り替わる。
【００５０】
また、本実施例において、品質制御部２７１は、基地局１０と無線通信装置２０との間のセルラー通信が維持できる最低の信号品質となる雑音信号の電力Ｔnとなるまで、電力制御部２７３に指示する雑音信号の電力値を徐々に増加させる。これにより、品質制御部２７１は、Ｌバンドで行われているセルラー通信が、通信品質の急激な悪化により切断されることを防止することができる。また、品質制御部２７１は、雑音信号の電力が電力Ｔnに達した場合、電力制御部２７３に指示する雑音信号の電力値の増加を停止する。これにより、品質制御部２７１は、Ｈバンドのリソースに空きができるまでの間、Ｌバンドで行われているセルラー通信を維持することができる。また、本実施例において、品質制御部２７１は、雑音信号の電力値を、単位時間あたりに所定の増加量で徐々に増加させるが、他の例として、初めは雑音信号の電力値を急激に増加させ、時間の経過と共に増加量を複数のステップで徐々に低くするようにしてもよい。あるいは、品質制御部２７１は、雑音信号の電力値を、０から電力値Ｔnまで１ステップで増加させてもよい。
【００５１】
［無線通信装置２０の動作］
図９は、実施例２における無線通信装置２０の動作の一例を示すフローチャートである。無線通信装置２０は、デジタル放送受信制御部２５が地上デジタル放送の受信を開始した場合に、本フローチャートに示す動作を開始する。なお、図９に示す動作の開始前において、電力制御部２７３および雑音信号発生器２７４の動作は停止しており、合成部２７２は、第２の無線部２３から出力された送信信号に雑音信号を合成することなくアンテナ２１−３から送信している。また、以下に説明する点を除き、図９において、図６と同じ符号を付した処理は、図６に示した処理と同様の処理であるため説明を省略する。
【００５２】
まず、デジタル放送受信制御部２５は、地上デジタル放送の受信開始を品質制御部２７１に通知する。品質制御部２７１は、雑音信号発生器２７４を起動させる（Ｓ２００）。そして、品質制御部２７１は、合成部２７２へ出力される雑音信号の電力値として０を電力制御部２７３に指示する。これにより、合成部２７２によって送信信号に合成される雑音信号の電力Ｐnは０となる（Ｓ２０１）。
【００５３】
Ｌバンドでセルラー通信が行われていない場合（Ｓ１００：Ｎｏ）、または、Ｈバンドの通信品質が所定の品質未満である場合（Ｓ１０１：Ｎｏ）、品質制御部２７１は、合成部２７２へ出力される雑音信号の電力値として０を電力制御部２７３に指示する。これにより、合成部２７２によって送信信号に合成される雑音信号の電力Ｐnは０となる（Ｓ２０２）。
【００５４】
Ｈバンドの通信品質が所定の品質以上である場合（Ｓ１０１：Ｙｅｓ）、品質制御部２７１は、合成部２７２によって送信信号に合成される雑音信号の電力Ｐnが、所定の電力値Ｔn未満であるか否かを判定する（Ｓ２０３）。所定の電力値Ｔnとは、基地局１０と無線通信装置２０との間のセルラー通信が維持できる最低の信号品質となる雑音信号の電力の値である。合成部２７２によって送信信号に合成される雑音信号の電力Ｐnが、所定の電力値Ｔnに達している場合（Ｓ２０３：Ｎｏ）、品質制御部２７１は、ステップＳ１０６に示した処理を実行する。
【００５５】
一方、合成部２７２によって送信信号に合成される雑音信号の電力Ｐnが、所定の電力値Ｔn未満である場合（Ｓ２０３：Ｙｅｓ）、品質制御部２７１は、雑音信号の電力Ｐnを所定の増加量ΔＰn分増加させる電力値を電力制御部２７３に指示する。電力制御部２７３は、雑音信号発生器２７４が発生させた雑音信号の電力値を、品質制御部２７１から指示された電力値に調整して合成部２７２へ出力する。合成部２７２は、電力制御部２７３から出力された雑音信号を、第２の無線部２３から出力された送信信号に合成する。これにより、第２の無線部２３から出力された送信信号に合成される雑音信号の電力Ｐnは、Ｐn＋ΔＰnとなる（Ｓ２０４）。
【００５６】
また、地上デジタル放送の受信が終了した場合（Ｓ１０６：Ｙｅｓ）、品質制御部２７１は、電力制御部２７３および雑音信号発生器２７４の動作を停止させる。これにより、合成部２７２によって送信信号に合成される雑音信号の電力Ｐnは０となる（Ｓ２０５）。そして、無線通信装置２０は、本フローチャートに示す動作を終了する。
【００５７】
［実施例２の効果］
上述したように、実施例２における無線通信装置２０は、アンテナ２１−３と、合成部２７２とを有する。合成部２７２は、アンテナ２１−３とセルラー通信制御部２６との間に設けられ、アンテナ２１−３を介してセルラー通信制御部２６がＬバンドにおいて送信する信号に雑音信号を合成する。また、品質制御部２７１は、デジタル放送受信制御部２５が地上デジタル放送の受信を開始した場合に、アンテナ２１−３を介してセルラー通信制御部２６がＬバンドにおいて送信する信号に合成される雑音信号の電力を増加させる。これにより、基地局１０は、Ｌバンドを用いた無線通信装置２０とのセルラー通信において、通信品質の悪化を検出し、無線通信装置２０との通信に用いられる周波数帯域を、ＬバンドからＨバンドへ切り替える。これにより、無線通信装置２０は、地上デジタル放送の受信中に、Ｌバンドのセルラー通信において送信される信号による地上デジタル放送の受信品質の劣化を回避することができる。
【００５８】
また、上記した実施例２の無線通信装置２０において、品質制御部２７１は、デジタル放送受信制御部２５が地上デジタル放送の受信を開始した場合に、Ｌバンドにおける送信信号に合成される雑音信号の電力を徐々に増加させる。これにより、無線通信装置２０は、基地局１０との間の通信に用いられる周波数帯域がＬバンドからＨバンドに変更されるまでの間、Ｌバンドにおいて現在行われているセルラー通信の切断を抑制することができる。
【実施例３】
【００５９】
上記した実施例１および２における無線通信装置２０は、地上デジタル放送の受信を開始した場合に、Ｌバンドにおけるセルラー通信の送信信号の品質を悪化させることにより、Ｌバンドの通信品質を悪化させた。これに対し、本実施例の無線通信装置２０は、地上デジタル放送の受信を開始した場合に、Ｌバンドにおけるセルラー通信の受信信号の品質を悪化させる。無線通信装置２０は、Ｌバンドにおいて、基地局１０からの下り信号の受信品質の悪化を基地局１０に報告し、基地局１０は、無線通信装置２０から報告されたＬバンドの受信品質に基づいて、Ｌバンドの通信品質の悪化を検出する。これにより、基地局１０と無線通信装置２０との間のセルラー通信において、より通信品質の良いＨバンドが用いられる可能性が高まる。これにより、無線通信装置２０は、セルラー通信による地上デジタル放送の受信品質の劣化を抑制することができる。
【００６０】
［無線通信装置２０］
図１０は、実施例３における無線通信装置２０の一例を示すブロック図である。本実施例における無線通信装置２０は、複数のアンテナ２１−１〜２１−５、第１の無線部２２、第２の無線部２３、第３の無線部２４、デジタル放送受信制御部２５、セルラー通信制御部２６、および品質変更部２７を有する。品質変更部２７は、品質制御部２７１および減衰器２７５を有する。なお、以下に説明する点を除き、図１０において、図１と同じ符号を付したブロックは、図１におけるブロックと同一または同様の機能を有するため説明を省略する。
【００６１】
減衰器２７５は、アンテナ２１−４を介して基地局１０から受信した信号を、品質制御部２７１からの指示に応じて減衰させ、第２の無線部２３へ出力する。
【００６２】
品質制御部２７１は、デジタル放送受信制御部２５から地上デジタル放送の受信開始が通知された場合に、セルラー通信制御部２６から出力されたＨバンドの通信品質を示す情報に基づいて、Ｈバンドの通信品質が所定の品質以上か否かを判定する。Ｈバンドの通信品質が所定の品質以上である場合、品質制御部２７１は、アンテナ２１−４を介して基地局１０から受信した信号の減衰を減衰器２７５に指示する。これにより、Ｌバンドにおいて、基地局１０から受信した信号の品質が悪化する。そして、セルラー通信制御部２６は、所定のタイミング毎に、Ｌバンドの受信品質を基地局１０に報告する。これにより、基地局１０は、無線通信装置２０との間でＬバンドの通信品質の悪化を検出し、無線通信装置２０との間で通信を行う場合に、より通信品質のよいＨバンドを用いる可能性が高まる。デジタル放送受信制御部２５から地上デジタル放送の受信終了が通知された場合、品質制御部２７１は、受信信号の減衰を解除するように減衰器２７５に指示する。
【００６３】
［無線通信装置２０の動作］
図１１は、実施例３における無線通信装置２０の動作の一例を示すフローチャートである。無線通信装置２０は、デジタル放送受信制御部２５が地上デジタル放送の受信を開始した場合に、本フローチャートに示す動作を開始する。なお、図１１に示す動作の開始前において、減衰器２７５による受信信号の減衰量ＡＴＴは０である。
【００６４】
まず、デジタル放送受信制御部２５は、地上デジタル放送の受信開始を品質制御部２７１に通知する。品質制御部２７１は、セルラー通信制御部２６から出力されたＨバンドの通信品質を示す情報に基づいて、Ｈバンドの通信品質が所定の品質以上か否かを判定する（Ｓ３００）。Ｈバンドの通信品質が所定の品質未満である場合（Ｓ３００：Ｎｏ）、品質制御部２７１は、受信信号の減衰量ＡＴＴを０にするように減衰器２７５に指示する。減衰器２７５は、受信信号の減衰量ＡＴＴを０に設定する（Ｓ３０２）。そして、品質制御部２７１は、ステップＳ３０３に示す処理を実行する。
【００６５】
一方、Ｈバンドの通信品質が所定の品質以上である場合（Ｓ３００：Ｙｅｓ）、品質制御部２７１は、受信信号の減衰量ＡＴＴが所定値ＴATTに設定されていなければ、減衰量ＡＴＴを所定値ＴATTに設定するように減衰器２７５に指示する。減衰器２７５は、受信信号の減衰量ＡＴＴを所定値ＴATTに設定する（Ｓ３０１）。セルラー通信制御部２６は、Ｌバンドの受信品質を測定し、測定結果を第２の無線部２３または第３の無線部２４を介して基地局１０に報告する。
【００６６】
基地局１０は、無線通信装置２０によるＬバンドの受信品質の測定結果に基づいて、Ｌバンドの通信品質を推定し、Ｌバンドの通信品質の悪化を検出する。これにより、基地局１０は、Ｌバンドの周波数を用いて無線通信装置２０とセルラー通信を行っている場合には、無線通信装置２０との間で、セルラー通信に用いられる周波数をＬバンドの周波数からＨバンドの周波数に切り替える処理を行う。また、基地局１０は、無線通信装置２０との間でＨバンドの周波数を用いたセルラー通信を行っている場合には、Ｈバンドの周波数を用いたセルラー通信を継続する。また、基地局１０と無線通信装置２０とがセルラー通信を行っていない場合、基地局１０は、無線通信装置２０との通信を開始する際に、Ｈバンドの周波数を用いて無線通信装置２０とセルラー通信を開始する。このように、基地局１０が無線通信装置２０との間でＬバンドの通信品質の悪化を検出することにより、Ｌバンドを用いたセルラー通信が抑制される。
【００６７】
次に、品質制御部２７１は、デジタル放送受信制御部２５から地上デジタル放送の受信終了が通知されたか否かを判定することにより、地上デジタル放送の受信が終了したか否かを判定する（Ｓ３０３）。地上デジタル放送の受信が終了していない場合（Ｓ３０３：Ｎｏ）、品質制御部２７１は、再びステップＳ３００に示した処理を実行する。一方、地上デジタル放送の受信が終了した場合（Ｓ３０３：Ｙｅｓ）、品質制御部２７１は、受信信号の減衰量ＡＴＴを０にするように減衰器２７５に指示する。減衰器２７５は、受信信号の減衰量ＡＴＴを０に設定する（Ｓ３０４）。そして、無線通信装置２０は、本フローチャートに示す動作を終了する。
【００６８】
［実施例３の効果］
上述したように、実施例３の無線通信装置２０において、品質制御部２７１は、地上デジタル放送の受信が開始された場合に、Ｌバンドで行われるセルラー通信においてセルラー通信制御部２６が受信する信号の品質を変更する。これにより、基地局１０は、無線通信装置２０からのＬバンドの受信品質の測定結果に基づいて、Ｌバンドの通信品質の悪化を検出し、無線通信装置２０との通信において、Ｌバンドの使用を抑制する。これにより、無線通信装置２０は、Ｌバンドのセルラー通信において送信される信号による地上デジタル放送の受信品質の劣化を回避することができる。
【００６９】
なお、上記した実施例３の無線通信装置２０は、地上デジタル放送の受信を開始した場合に、Ｌバンドにおいて基地局１０から受信した信号の電力を減衰させることにより、受信信号の品質を変更するが、開示の技術はこれに限られない。例えば、無線通信装置２０は、地上デジタル放送の受信を開始した場合に、前述の実施例２のように、Ｌバンドにおいて基地局１０から受信した信号に雑音信号を合成することにより、受信信号の品質を変更するようにしてもよい。
【００７０】
また、上記した実施例３の無線通信装置２０は、地上デジタル放送の受信を開始した場合、Ｌバンドにおける基地局１０からの受信信号の電力を、基地局１０との間のセルラー通信が維持できる最低の信号品質となる電力まで徐々に減衰させる。無線通信装置２０は、受信信号の電力を、単位時間あたりに所定量ずつ徐々に減衰させてもよく、時間の経過と共に減衰量の変化率を徐々に減少させてもよい。あるいは、無線通信装置２０は、受信信号の電力を、基地局１０との間のセルラー通信が維持できる最低の信号品質となる電力まで１ステップで減衰させてもよい。
【００７１】
また、上記した実施例３の無線通信装置２０は、地上デジタル放送の受信を開始した場合、Ｌバンドにおける基地局１０からの受信信号に合成する雑音信号の電力を、基地局１０との間のセルラー通信が維持できる最低の信号品質となるまで徐々に増加させてもよい。無線通信装置２０は、受信信号に合成される雑音信号の電力を、単位時間あたりに所定量ずつ徐々に増加させてもよく、時間の経過と共に増加率を徐々に減少させてもよい。あるいは、無線通信装置２０は、受信信号に合成される雑音信号の電力を、基地局１０との間のセルラー通信が維持できる最低の信号品質となるまで１ステップで増加させてもよい。
【実施例４】
【００７２】
Ｌバンドでセルラー通信が行われていると、セルラー通信の送信信号は、地上デジタル放送のチャネルのうち、Ｌバンドに近い周波数帯域に含まれるチャネルに対して干渉信号となる場合がある。しかし、Ｌバンドでセルラー通信が行われていても、地上デジタル放送の全てのチャネルにおいて、セルラー通信により受信品質の劣化が生じるわけではない。そこで、本実施例では、地上デジタル放送のチャネルのうち、セルラー通信により受信品質の劣化が生じる可能性の高いチャネルの受信が開始された場合に、Ｌバンドにおけるセルラー通信の送信信号の品質を悪化させる。
【００７３】
図１２は、干渉信号の影響を受けるチャネルの範囲の一例を説明する図である。例えば図１２に示すように、Ｌバンドでセルラー通信が行われている場合、地上デジタル放送の周波数帯域Ｂ１内において、Ｌバンド側の境界から所定周波数の範囲Δｆに含まれるチャネルの受信品質が劣化する可能性が高い。そこで、本実施例の無線通信装置２０は、Ｌバンドのセルラー通信により受信品質の劣化が生じる虞のある周波数の範囲Δｆに含まれる地上デジタル放送のチャネルの受信を開始した場合に、Ｌバンドにおけるセルラー通信の送信信号の品質を悪化させる。なお、無線通信装置２０のブロック構成は、図１を用いて説明した実施例１における無線通信装置２０と同様であるため、図示は省略する。
【００７４】
本実施例において、デジタル放送受信制御部２５は、地上デジタル放送の受信を開始した場合に、受信中の地上デジタル放送のチャネルを品質制御部２７１に通知する。また、デジタル放送受信制御部２５は、無線通信装置２０に設けられた入力装置を介してチャネルの変更をユーザから受け付けた場合、変更後のチャネルの情報を品質制御部２７１に通知する。また、デジタル放送受信制御部２５は、地上デジタル放送の受信を終了した場合に、地上デジタル放送の受信終了を品質制御部２７１に通知する。
【００７５】
品質制御部２７１は、デジタル放送受信制御部２５から受信中の地上デジタル放送のチャネルの情報が通知された場合に、該チャネルがＬバンドのセルラー通信により受信品質の劣化が生じる虞のある周波数の範囲Δｆに含まれるか否かを判定する。受信中の地上デジタル放送のチャネルがΔｆに含まれる場合、品質制御部２７１は、実施例１と同様に、Ｌバンドでセルラー通信が行われているか否か等の判定結果に応じて、Ｌバンドにおける送信信号の電力の減衰を減衰器２７０に指示する。
【００７６】
一方、受信中の地上デジタル放送のチャネルがΔｆに含まれていない場合、品質制御部２７１は、Ｌバンドにおける送信信号の電力の減衰を減衰器２７０に指示しない。これにより、本実施例の無線通信装置２０は、Ｌバンドのセルラー通信により受信品質の劣化が生じる虞がないチャネルの受信中に、セルラー通信に使用される周波数帯域が無駄に切り替えられることを防止することができる。これにより、無線通信装置２０は、セルラー通信に使用される周波数帯域の切り替えに伴う瞬断、通話品質の劣化、および無線通信装置２０の処理負荷の増加等を抑制することができる。
【００７７】
［無線通信装置２０の動作］
図１３は、実施例４における無線通信装置２０の動作の一例を示すフローチャートである。無線通信装置２０は、デジタル放送受信制御部２５が地上デジタル放送の受信を開始した場合に、本フローチャートに示す動作を開始する。なお、図１３に示す動作の開始前において、減衰器２７０による送信信号の減衰量ＡＴＴは０である。また、以下に説明する点を除き、図１３において、図６と同じ符号を付した処理は、図６に示した処理と同様の処理であるため説明を省略する。
【００７８】
まず、デジタル放送受信制御部２５は、受信中の地上デジタル放送のチャネルの情報を品質制御部２７１に通知する。品質制御部２７１は、デジタル放送受信制御部２５から通知されたチャネルの情報に基づいて、該チャネルがＬバンドのセルラー通信により受信品質の劣化が生じる虞のある周波数の範囲Δｆに含まれるか否かを判定する（Ｓ４００）。受信中の地上デジタル放送のチャネルがΔｆに含まれる場合（Ｓ４００：Ｙｅｓ）、品質制御部２７１は、ステップＳ１００に示した処理を実行する。一方、受信中の地上デジタル放送のチャネルがΔｆに含まれない場合（Ｓ４００：Ｎｏ）、品質制御部２７１は、ステップＳ１０２に示した処理を実行する。また、ステップＳ１０６において地上デジタル放送の受信が終了していない場合（Ｓ１０６：Ｎｏ）、品質制御部２７１は、再びステップＳ４００に示した処理を実行する。
【００７９】
［実施例４の効果］
上記したように、本実施例の無線通信装置２０において、デジタル放送受信制御部２５は、地上デジタル放送の周波数帯域Ｂ１に含まれる複数のチャネルのいずれかを用いて地上デジタル放送の受信を行う。また、品質制御部２７１は、地上デジタル放送の周波数帯域Ｂ１内において、Ｌバンド側の境界から所定周波数の範囲Δｆに含まれるチャネルを用いて、デジタル放送受信制御部２５が地上デジタル放送の受信を開始した場合に、セルラー通信制御部２６がＬバンドで送信する信号の品質を変更する。これにより、本実施例の無線通信装置２０は、Ｌバンドのセルラー通信により受信品質の劣化が生じる虞がないチャネルの地上デジタル放送の受信中に、セルラー通信に使用される周波数帯域が無駄に切り替えられることを防止することができる。
【００８０】
［ハードウェア］
上記した各実施例１〜４に示した無線通信装置２０は、例えば図１４に示す構成のハードウェアにより実現される。図１４は、無線通信装置２０のハードウェアの一例を示す図である。無線通信装置２０は、例えば図１４に示すように、複数のアンテナ２１−１〜２１−５、品質変更回路２００、複数の無線通信回路２０１〜２０３、複数のプロセッサ２０４〜２０６、およびメモリ２０７を有する。
【００８１】
無線通信回路２０１は、地上デジタル放送の周波数帯域Ｂ１において送信局１１から送信された信号の受信処理を行う。プロセッサ２０４は、メモリ２０７に格納されたプログラムおよびデータ等に基づいて無線通信回路２０１を制御し、無線通信回路２０１によって受信された地上デジタル放送の画像および音声等を出力する。プロセッサ２０４は、メモリ２０７から読み出したプログラムを実行することにより、無線通信回路２０１と協働して、第１の無線部２２およびデジタル放送受信制御部２５の機能を実現する。
【００８２】
無線通信回路２０２は、Ｌバンドにおいて基地局１０から送信された信号の受信処理、および、Ｌバンドにおいて送信局１１へ送信する信号の送信処理を行う。無線通信回路２０３は、Ｈバンドにおいて基地局１０から送信された信号の受信処理、および、Ｈバンドにおいて送信局１１へ送信する信号の送信処理を行う。プロセッサ２０５は、メモリ２０７に格納されたプログラムおよびデータ等に基づいて無線通信回路２０２および無線通信回路２０３を制御し、ＬバンドまたはＨバンドを用いて基地局１０との間でセルラー通信を行う。プロセッサ２０５は、メモリ２０７から読み出したプログラムを実行することにより、無線通信回路２０２および無線通信回路２０３と協働して、第２の無線部２３、第３の無線部２４、およびセルラー通信制御部２６の各機能を実現する。
【００８３】
品質変更回路２００は、無線通信回路２０２によってＬバンドにおいて送信または受信される信号の品質を変更する。プロセッサ２０６は、メモリ２０７に格納されたプログラムおよびデータ等に基づいて品質変更回路２００を制御し、無線通信回路２０２によってＬバンドにおいて送信または受信される信号の品質を制御する。プロセッサ２０６は、メモリ２０７から読み出したプログラムを実行することにより、品質変更回路２００と協働して、品質変更部２７の機能を実現する。
【００８４】
［その他］
なお、開示の技術は、上記した実施例に限定されるものではなく、その要旨の範囲内で数々の変形が可能である。
【００８５】
例えば、上記した実施例１と３とは組み合わせて実現されてもよい。具体的には、デジタル放送受信制御部２５が地上デジタル放送の受信を開始した場合に、品質制御部２７１は、減衰器２７０に送信信号の品質を変更させると共に、減衰器２７５に受信信号の品質を変更させてもよい。これにより、無線通信装置２０は、上り信号と下り信号の両方の品質悪化を基地局１０に検出させることができ、ＴＤＤ（Time  Division  Duplex）方式においても、実際の伝搬路の変化に近い形で基地局１０に通信品質の悪化を検出させることができる。上記した実施例２と３との組み合わせについても同様である。
【００８６】
また、上記した実施例４の無線通信装置２０は、地上デジタル放送の周波数帯域Ｂ１内において、Ｌバンド側の境界から所定周波数の範囲Δｆに含まれるチャネルを用いて地上デジタル放送の受信を開始した場合に、Ｌバンドの送信信号の品質を変更する。しかし、開示の技術はこれに限られない。例えば、無線通信装置２０は、所定周波数の範囲Δｆに含まれるチャネルを用いて地上デジタル放送の受信を開始した場合に、前述の実施例３と同様に、Ｌバンドの受信信号の品質を変更してもよい。
【００８７】
また、上記した実施例４において、無線通信装置２０は、地上デジタル放送の受信を開始した場合に、受信を開始したチャネルが所定周波数の範囲Δｆに含まれれば、Ｌバンドのセルラー通信における送信信号の品質を変更する。この場合、無線通信装置２０は、Ｌバンドのセルラー通信における送信信号の周波数や、送信信号の電力に応じて、Δｆの範囲を変更してもよい。例えば、無線通信装置２０は、Ｌバンドのセルラー通信における送信信号の周波数が低いほど、Δｆの範囲を広くしてもよい。また、例えば、無線通信装置２０は、Ｌバンドのセルラー通信における送信信号の電力が大きいほど、Δｆの範囲を広くしてもよい。また、無線通信装置２０は、地上デジタル放送の受信信号の強度に応じて、Δｆを変更してもよい。例えば、無線通信装置２０は、地上デジタル放送の受信信号の強度が低いほど、Δｆの範囲を広くしてもよい。
【００８８】
また、上記した各実施例では、第１通信として地上デジタル放送の受信を行い、第２通信としてセルラー通信を行う無線通信装置２０を例に説明した。しかし、一方の通信が、他方の通信に影響を与える２つの通信を行う無線通信装置２０であれば、第１通信および第２通信は、それぞれ、地上デジタル放送の受信およびセルラー通信に限られない。例えば、第１通信および第２通信のいずれか一方は、ＧＰＳ（Global  Positioning  System）信号の受信や、無線ＬＡＮによる通信等であってもよく、いずれか他方は、セルラー通信であってもよい。
【００８９】
また、上記した各実施例において、無線通信装置２０は、複数のアンテナ２１−１〜２１−５を有するが、開示の技術はこれに限られない。例えば、Ｈバンドのセルラー通信における信号の送信および受信に１つのアンテナが共通に用いられ、Ｌバンドのセルラー通信における信号の送信および受信に他の１つのアンテナが共通に用いられてもよい。さらに、Ｈバンドのセルラー通信およびＬバンドのセルラー通信において、送信および受信に１つのアンテナが共通に用いられてもよい。さらに、セルラー通信および地上デジタル放送の受信に１つのアンテナが共通に用いられてもよい。
【符号の説明】
【００９０】
１０  基地局
１１  送信局
２０  無線通信装置
２１  アンテナ
２２  第１の無線部
２３  第２の無線部
２４  第３の無線部
２５  デジタル放送受信制御部
２６  セルラー通信制御部
２７  品質変更部
２７０  減衰器
２７１  品質制御部
２７２  合成部
２７３  電力制御部
２７４  雑音信号発生器
２７５  減衰器
【図１】
2017163229.tif 000003
【図２】
2017163229.tif 000004
【図３】
2017163229.tif 000005
【図４】
2017163229.tif 000006
【図５】
2017163229.tif 000007
【図６】
2017163229.tif 000008
【図７】
2017163229.tif 000009
【図８】
2017163229.tif 000010
【図９】
2017163229.tif 000011
【図１０】
2017163229.tif 000012
【図１１】
2017163229.tif 000013
【図１２】
2017163229.tif 000014
【図１３】
2017163229.tif 000015
【図１４】
2017163229.tif 000016